(57)【特許請求の範囲】
【請求項１】
金属ストリップのエッジをトリミングするトリマーから発生するトリム屑を、対向して配置された回転するガイド板の間にプッシャーで押し込み、ガイド板の間を水平方向に出入り可能な巻取軸に巻き取ったのち、巻取軸から抜かれたボールを払い出すトリム屑用ボーラーにおいて、
巻取軸が抜かれたボールを下から支持する上下動可能で且つ二つ折り可能なボーラーテーブルと、ボーラーテーブルに支持されたボールを後方から押し出すプッシャーとを備えたことを特徴とするトリム屑用ボーラー。
【請求項２】
前記ボーラーテーブルが架台に回転可能に軸支されたテーブルと、テーブルに回転可能に軸支されたストッパーアームからなり、ストッパーアーム用シリンダーの一端がテーブルに、他端がストッパーアームに回転可能に連結され、ボーラーテーブルの形状をＬ字型の形状とフラットな形状に切り替えることを特徴とする請求項１記載のトリム屑用ボーラー。
【請求項３】
前記プッシャーがプッシャー用シリンダーを上下２段に配置し、一方のプッシャー用シリンダーがプッシャーを前進・後退させ、他方のプッシャー用シリンダーが前記一方のプッシャー用シリンダーを前進・後退させることを特徴とする請求項１又は２記載のトリム屑用ボーラー。
【発明の詳細な説明】
【技術分野】
【０００１】
本発明は、鋼帯のサイドトリミング作業の際に発生するトリム屑をボール状に巻き取るトリム屑用ボーラーに関する。
【背景技術】
【０００２】
鋼帯の冷間圧延などで金属ストリップの幅を揃えるため、金属ストリップの両側のエッジがサイドトリマーで切り落とされており、切り落とされたトリム屑は大量に発生するので、トリム屑用ボーラーでボール状に巻き取られている（例えば、特許文献１、２参照）。
【０００３】
図５は従来のトリム屑用ボーラーの一例を示す図である。
【０００４】
トリム屑用ボーラーにおいては、サイドトリマーから発生するトリム屑１をシリンダー５ａを駆動させてプッシャー４でシュート２内の先行材のトリム屑と後続材のトリム屑とを絡みつかせてガイド板の間に送り込み、巻取軸８を前進させて巻取軸８の先端に形成された十字溝からなるフォークによって挟持し、巻取軸８の上部に設置した押えロール９によりトリム屑１を押さえながら巻き取り、巻き取りが完了すると、巻取軸８とシュート２の間に設置したトリム屑シャー７によってトリム屑１を切断し、巻取軸８を後方ヘシフトさせてボール６から抜き取り、テーブル１０の上にボール６を落下させて重力により払い出している。
【特許文献１】特開平１０−２０２３１６号公報
【特許文献２】実開平４−１１２７３０号公報
【発明の開示】
【発明が解決しようとする課題】
【０００５】
従来のトリム屑用ボーラーでは、巻取軸をボールから抜き取る際に、巻き取られたボールが重力により斜めに傾いて、両側のガイド板の間に挟まり、ボールの払い出しが困難になるトラブルが起きることが多い。さらに高張力鋼板のトリム屑を巻き取るトリム屑用ボーラーでは、巻き取ったトリム屑は押えロールを開放すると、自らの弾性力によりスプリングバックし、ガイド板の間に挟まる等してボール払い出し時のトラブルが頻発していた。
【０００６】
そこで、本発明は、トリム屑用ボーラーからのボールの払い出しを容易にすることができるトリム屑用ボーラーを提供するものである。
【課題を解決するための手段】
【０００７】
本発明は、金属ストリップのエッジを連続的にトリミングするトリマーから発生するトリム屑を巻き取ってボールにするトリム屑用ボーラーにおいて、トリム屑の払い出しを容易にするために、巻取軸をボールから抜き取る際にボールを下から支持してボールが自重により斜めに傾くことを防止するボーラーテーブルと、ガイド板の間に挟まれたボールを後方から押し出すプッシャーを設置して払い出す。
【０００８】
具体的には、金属ストリップのエッジをトリミングするトリマーから発生するトリム屑を、対向して配置された回転するガイド板の間にプッシャーで押し込み、ガイド板の間を水平方向に出入り可能な巻取軸に巻き取ったのち、巻取軸から抜かれたボールを払い出すトリム屑用ボーラーにおいて、巻取軸が抜かれたボールを下から支持する上下動可能で且つ二つ折り可能なボーラーテーブルと、ボーラーテーブルに支持されたボールを後方から押し出すプッシャーとを備える。
【０００９】
前記ボーラーテーブルは、架台に回転可能に軸支されたテーブルと、テーブルに回転可能に軸支されたストッパーアームからなり、ストッパーアーム用シリンダーの一端がテーブルに、他端がストッパーアームに回転可能に連結され、ボーラーテーブルの形状をＬ字型の形状とフラットな形状とに切り替える構成とする。
【００１０】
また、前記プッシャーがプッシャー用シリンダーを上下２段に配置し、一方のプッシャー用シリンダーがプッシャーを前進・後退させ、他方のプッシャー用シリンダーが前記一方のプッシャー用シリンダーを前進・後退させる構成とする。
【発明の効果】
【００１２】
本発明のトリム用ボーラーは、巻取りが完了し、ボールを払い出すために巻取軸を抜き取る前にボーラーテーブルを上昇させてボールを下から支持した後に巻取軸を抜き取るので、ボーラーテーブルに支持されているボールが傾くことはない。巻取軸の抜き取りが完了すると、ボールテーブルを傾斜させ、ボールをプッシャーで押すことにより、ガイド板にボールが挟まった場合でも円滑に下方に払い出すことができる。
【００１３】
また、ガイド板とガイド板の縁を取り囲む固定物との間を迷路状にして防壁を形成することにより屑が奥まで入ることを防いでいるので、ボール払い出しの際に屑が引っかかってボールが払い出せなくなるのを防ぐことができる。さらに、トリム屑が隙間に入り切断され小さな屑となって、装置の重要な部分に障害を与えるトラブルも未然に防止することができる。
【発明を実施するための最良の形態】
【００１４】
図１は本発明によるトリム屑ボーラーの一実施例を示す概略正面図、図２は同概略平面図及びガイド板と固定板の概略断面図である。
【００１５】
トリム屑ボーラーは、Ｌ字状のシュート２が架台に固定され、シュート２の上部及び下部は、トリム屑１の入側及び出側として開放されている。シュート２内にはトリマーでトリミングされたトリム屑１が落ちてくる。シュート２の下部の水平部には、シュート２の底にある程度溜まったトリム屑１をシュート２の出側からボール形成部３に押し出し、また形成されたボール６を押して払い出すプッシャー４が配置される。プッシャー４は、プッシャー用シリンダー５ａ，５ｂを上下２段に配置して連動させることにより、少ないスペースでプッシャー４の移動距離を長くすることができる。
【００１６】
シュート２のトリム屑１の出側に次いでトリム屑１を巻き取ってボール６を形成するボール形成部３が設けられる。シュート２とボール形成部３の境界近傍には、後続のトリム屑１とボール６のトリム屑とを分離するためにトリム屑１を切断するトリム屑シャー７が配置されている。
【００１７】
ボール形成部３は、トリム屑１を巻き取る巻取軸８、形成されるボール６を押さえる押えロール９、トリム屑１を案内し、ボール６を支持するボーラーテーブル１０、トリム屑１をガイドするガイド板１１ａ，１１ｂで構成される。
【００１８】
巻取軸８は、巻き取りにより形成されたボール６から抜きやすくするために先細りに形成される。巻取軸８の先端には十字溝からなるフォーク８ａが形成され、フォーク８ａの溝にトリム屑１が挟持され、トリム屑１が巻取軸８の回転により巻き取られてボール６が形成される。また、巻取軸８は、トリム屑１をガイドするため対向して設けられたガイド板１１ａ，１１ｂの間を水平方向に巻取軸シフト用シリンダー８ｂにより前進・後退可能に設けられ、前進によりフォーク８ａの溝にトリム屑１を挟持し、後退によりボール６から抜くことが可能となる。
【００１９】
押えロール９は、巻取軸８に巻き取られていくトリム屑１を押しつぶしてボール状に形成する。押えロール９は、図示しないシリンダーにより下方に移動可能に設けられるとともに、トリム屑１の巻き取り完了後に、ボール６を開放するために、上方に移動可能に設けられている。
【００２０】
ボーラーテーブル１０は、二つ折り可能にテーブル１０ａとストッパーアーム１０ｂで構成される。テーブル１０ａは架台に回転軸１３に回転可能に軸支される。ストッパーアーム１０ｂはテーブル１０ａに回転軸１２に回転可能に軸支されている。ストッパーアーム１０ｂの一端は、端部が回転可能に支持されているテーブル用シリンダー１４のロッドに連結される。ストッパーアーム用シリンダー１４の伸縮により、テーブル１０ａとストッパーアーム１０ｂとをＬ字型の形状とフラットな形状にすることができる。
【００２１】
ボーラーテーブル１０の動作は次のとおりである。ストッパーアーム用シリンダー１４のロッドが伸びるのにともなって、ストッパーアーム１０ｂが回転軸１２を中心にして上方向に回転する。また、図示しないテーブル１０ａ回転用シリンダーのロッドが伸びるのにともなって、回転軸１３を中心にボーラーテーブル１０全体が上方向に回転する。ボーラーテーブル１０の上昇により、角度をもって二つ折りされたテーブル１０ａとストッパーアーム１０ｂによりボール６を確実に支持することができる。逆に、ストッパーアーム用シリンダー１４のロッドが縮むと、ストッパーアーム１０ｂが回転軸１２を中心にして下方向に回転し、テーブル用シリンダー１４のロッドの「縮み」側ストロークエンドでは、テーブル１０はフラットになる。また、図示しないテーブル１０ａ回転用シリンダーが縮むのにともなってボーラーテーブル１０全体を下方向へ回転させてテーブルを下向きにすることができる。
【００２２】
図２において、巻取軸８を挟んで対向して垂直に配置されるガイド板１１ａ，１１ｂは、架台の軸受１５に回転可能に軸支される。ガイド板１１ａ，１１ｂは回転可能に支持されることにより、シュート２から送り込まれてくるトリム屑１をガイドすることができる。
【００２３】
また、ガイド板１１ａ，１１ｂの周縁と、この周縁を取り囲む固定板１６の周縁との隙間１７は、固定板１６の周縁をＬ字形に形成してガイド板１１ａ，１１ｂのガイド面と反対側の面に重なるようにして隙間１７にトリム屑１の進入を防ぐ行き止まりの防壁１８を形成して、トリム屑１が隙間１７を通り抜けないようにする。
【００２４】
次ぎに、前記構成を備えたトリム屑用ボーラーの動作について説明する。図３及び図４は本発明のトリム屑用ボーラーの動作を示す図である。
【００２５】
トリマーでトリミングされたトリム屑１は、図３（ａ）に示すように、シュート上部のトリム屑の入側からシュート２の中に落下してくる。落下したトリム屑１は、シュート２の底に溜まる。この時、ボーラーテーブル１０は上昇し、押えローラ９は下降し、巻取軸８は後退し、プッシャー４は後退して待機位置にある。
【００２６】
図３（ｂ）に示すように、トリム屑１がシュート２の底にある程度溜まると、プッシャー４をプッシャー用シリンダー５ａ，５ｂで前進させてトリム屑１を押してボーラーテーブル１０の上を移動させる。
【００２７】
トリム屑１が巻取軸８の正面まで押しやられると、巻取軸８が巻取軸シフト用シリンダー８ｂにより待機位置から前進して巻取軸８のフォーク８ａの溝にトリム屑１が入り込んで挟持される（図２参照）。
【００２８】
トリム屑１を巻取軸８に挟持した後、図３（ｃ）に示すように、プッシャー４をプッシャー用シリンダー５ａ，５ｂで後退させた後、巻取軸８の回転を開始し、次々に送り込まれてくるトリム屑１を巻き取っていく。トリム屑１の巻き取りの際には、押えロール９はトリム屑１を押しつぶし、トリム屑１がボール状に巻き取られていく。また、巻き取りの際は、ボーラーテーブル１０はボール６と干渉しないように下降させておく。
【００２９】
巻取りが完了すると、図４（ａ）に示すように、巻取軸８の回転を停止させ、トリム屑シャー７によりボール６につながるトリム屑１を切断する。この時、プッシャー４は前進して待機位置で停止させておく。
【００３０】
トリム屑１をトリム屑シャー７により切断した後、図４（ｂ）に示すように、押えロール９は上昇する。そしてボーラーテーブル１０が上昇し、巻き取ったボール６に接触した位置で停止してボール６を下方から支持する。その後、巻取軸シフト用シリンダー８ｂにより巻取軸８を後方にシフトさせてボール６から抜き取る（図２参照）。
【００３１】
巻取軸８をボール６から引き抜いた後、図４（ｃ）に示すように、ボール６を支持したボーラーテーブル１０を傾斜させ、ボール６をプッシャー４で押すことにより、強制的に押し出してゲート１９を開けて払い出す。特に、高張力鋼板の場合、トリム屑が拡大してガイド板に挟まれてもプッシャー４がボール６を強制的に押し出すので、容易に払い出すことができる。
【図面の簡単な説明】
【００３２】
【図１】本発明によるトリム屑ボーラーの一実施例を示す概略正面図である。
【図２】本発明によるトリム屑ボーラーの概略平面図とガイド板と固定板の概略断面図である。
【図３】本発明のトリム屑用ボーラーの動作を示す図である。
【図４】本発明のトリム屑用ボーラーの動作を示す図である。
【図５】従来のトリム屑用ボーラーの一例を示す図である。
【符号の説明】
【００３３】
１：トリム屑                        ２：シュート
３：ボール形成部                    ４：プッシャー
５ａ，５ｂ：プッシャー用シリンダー  ６：ボール
７：トリム屑シャー                  ８：巻取軸
８ａ：フォーク                      ８ｂ：巻取軸シフト用シリンダー
９：押えロール                      １０：ボーラーテーブル
１０ａ：テーブル                    １０ｂ：ストッパーアーム
１１ａ，１１ｂ：ガイド板            １２：回転軸
１３：回転軸                        １４：ストッパーアーム用シリンダー
１５：軸受                          １６：固定板
１７：隙間                          １８：防壁
１９：ゲート
【図１】
0004741384.tif 000002
【図２】
0004741384.tif 000003
【図３】
0004741384.tif 000004
【図４】
0004741384.tif 000005
【図５】
0004741384.tif 000006